(57)【要約】【課題】吸盤を用いた簡単で安価な構造で、しかも着脱が容易でテーブルや床面を傷付けることがなく、大きな力で転倒や移動を防止できる転倒移動防止具を提供するものである。【解決手段】軟質材で形成された椀状の吸盤２の上部に基板８を一体に取付け、この基板８の上部に突起部９を設け、前記吸盤２の上部に椀状の押えカバー３を被せ、この押えカバー３の上部に開孔した突起部貫通孔１１に前記突起部９を上下動自在に貫通させ、この貫通した突起部９の上部側と、レバー４とを回動自在に連結し、このレバー４の先端側に押え部２１を形成すると共に、前記押えカバー３から上方に向かってストッパーとなるボルト５を突設し、このボルト５を前記レバーに開孔したストッパー貫通孔２２に貫通させてナット２５でレバー４の上部を押えたものである。【選択図】  図３
0003171515.tif 000002
【実用新案登録請求の範囲】
【請求項１】
軟質材で形成された椀状の吸盤の上部に基板を一体に取付け、この基板の上部に突起部を設け、前記吸盤の上部に椀状の押えカバーを被せ、この押えカバーの上部に開孔した突起部貫通孔に前記突起部を上下動自在に貫通させ、この貫通した突起部の上部側と、レバーとを回動自在に連結し、このレバーの先端側に押え部を形成すると共に、前記押えカバーから上方に向かってストッパーを突設し、このストッパーを前記レバーに開孔したストッパー貫通孔に貫通させて、貫通したストッパーでレバーの上部を押えた構成をなし、レバーを回動させてテーブルまたは床面に吸盤を固定すると共に、レバーの先端側の押え部で、電子機器や家具を押えて転倒や移動を防止したことを特徴とする転倒移動防止具。
【請求項２】
ストッパーがボルトとナット、または側面にのこぎり刃状の係止突起を形成した係止棒とストッパー貫通孔に形成した突出部とから形成されていることを特徴とする請求項１記載の転倒移動防止具。
【請求項３】
レバー先端側の押え部にクッション材が取付けられていることを特徴とする請求項１記載の転倒移動防止具。
【考案の詳細な説明】
【技術分野】
【０００１】
本考案は、薄型テレビなどの電子機器や家具を押えて転倒や移動を防止する転倒移動防止具に関するものである。
【背景技術】
【０００２】
大きな地震が発生すると薄型テレビなどの電子機器や家具が移動したり転倒したりすることがある。このため種々の耐震装置が提案されている。例えば薄型テレビやパソコンのディスプレイなどは安定性が悪く転倒する危険性が大きい。このためテーブル上面と薄型テレビの背面にそれぞれ接着テープで接合部材を貼り付け、両接合部材をベルトで連結して、薄型テレビの転倒を防止する構造が提案されている（特許文献１）。またベルトの代わりにワイヤーを用い、これを連結すれ接合部材をテーブル上面にネジで固定するものも提案されている（特許文献２）。
【０００３】
しかしながらこれらは大きな横揺れが加わるとベルトで引っ張っている背面側に倒れる恐れがある。またこの構造ではデスクの上に設置したディスプレイの背面側に接合部材を取付ける広いスペースが必要となり、書類を置いたり書いたりするスペースが必要な事務用デスクには使用できない。また接合部材をテーブル上面にネジで固定するものはスチール製の事務用デスクには取付けることができない。                                                          
【０００４】
また洋服ダンスや食器戸棚、ロッカー、キャビネット、本棚などの大型家具を固定する方法として伸縮自在なつっぱり棒を天井との間に介在させる構造が多く使用されている。しかし、このつっぱり棒も大きな横揺れが加わると外れてしまう問題があった。このため、壁面や床面に金具を取付け、家具の背面に前記金具と係合する係止部を設けた転倒防止装置も開発されている（特許文献３）。
【０００５】
しかしながらテーブルや床面に金具を取付け、家具の背面にも係止部を取付ける構造では工事が大掛かりとなり、また借りているオフィスやマンションなどの場合には、壁面や床面に金具をネジ止めすることができない問題がある。
【先行技術文献】
【特許文献】
【０００６】
【特許文献１】特開２００６ー３０４２３９号公報
【特許文献２】特開２００８ー２２８２６０号公報
【特許文献３】特開平９ー３１３２８２号公報
【考案の概要】
【考案が解決しようとする課題】
【０００７】
本考案は上記問題を改善し、吸盤を用いた簡単で安価な構造で、しかも着脱が容易でテーブルや床面を傷付けることがなく、大きな力で転倒や移動を防止できる転倒移動防止具を提供するものである。                      
【課題を解決するための手段】
【０００８】
本考案の請求項１記載の転倒移動防止具は、軟質材で形成された椀状の吸盤の上部に基板を一体に取付け、この基板の上部に突起部を設け、前記吸盤の上部に椀状の押えカバーを被せ、この押えカバーの上部に開孔した突起部貫通孔に前記突起部を上下動自在に貫通させ、この貫通した突起部の上部側と、レバーとを回動自在に連結し、このレバーの先端側に押え部を形成すると共に、前記押えカバーから上方に向かってストッパーを突設し、このストッパーを前記レバーに開孔したストッパー貫通孔に貫通させて、貫通したストッパーでレバーの上部を押えた構成をなし、レバーを回動させてテーブルまたは床面に吸盤を固定すると共に、レバーの先端側の押え部で、電子機器や家具を押えて転倒や移動を防止したことを特徴とするものである。
転倒移動防止具。
【０００９】
本考案の請求項２記載の転倒移動防止具は、請求項１において、ストッパーがボルトとナット、または側面にのこぎり刃状の係止突起を形成した係止棒とストッパー貫通孔に形成した突出部とから形成されていることを特徴とするものである。
【００１０】
本考案の請求項３記載の転倒移動防止具は、請求項１において、レバー先端側の押え部にクッション材が取付けられていることを特徴とするものである。
【考案の効果】
【００１１】
本考案に係る請求項１記載の転倒移動防止具によれば、吸盤と押え部を形成したレバーとを組合せた簡単で安価な構造により、レバーを下方に回動させると突起部が持ち上げられ、これと一体の基板と吸盤も持ち上げられ、吸盤は内部空間が拡大して真空状態となり強固に吸着する。更にレバーから上方に突出したストッパーでレバーの上部を押えカバーに固定するので、レバーの回動が阻止され、吸盤の真空状態を保持して押え部で電子機器や家具を押えて転倒や移動を防止することができる。また取り外す時にはストッパーのロックを外し、レバーを持ち上げれば吸盤が押し潰されて真空が解除されるので容易に取り外すことができ、テーブルや床面を傷付けることがなく何処にでも簡単に取付けられ、薄型テレビやパソコンのディスプレイなどの電子機器や、洋服ダンスや食器戸棚、ロッカー、キャビネット、本棚など家具の転倒や移動を防止することができる。
【００１２】
また請求項２記載の転倒移動防止具によれば、ストッパーをボルトとナットを組合わせて形成したものは、ナットでレバーの上部を締付けることによりレバーを固定することができる。またストッパーを側面にのこぎり刃状の係止突起を形成した係止棒とストッパー貫通孔に形成した突出部とで形成したものは、レバーを押し下げるだけで、係止突起と突出部が係合してワンタッチでレバーをロックすることができる。
【００１３】
また請求項３記載の転倒移動防止具によれば、レバー先端側の押え部にクッション材が取付けられているので電子機器や家具との密着性が良く、更に確実に固定することができる。
【考案を実施するための最良の形態】
【００１４】
以下本考案の実施の一形態を図１ないし図５を参照して詳細に説明する。図において１は転倒移動防止具を示すもので、２は吸盤、３は吸盤２に被せた押えカバー、４はレバー、５はボルト、６はテレビスタンドである。前記吸盤２は図３に示すように軟質プラスチックで椀状に形成され、その上部に硬質のプラスチックで形成された円形の基板８が一体に埋め込まれている。更に基板８の上部には突起部９が一体に形成され、その上部側に軸１０が横方向に突設されている。
【００１５】
また吸盤２に被せた押えカバー３は硬質のプラスチックで椀状に形成され、その上部に平板部７が形成され、その中心に突起部貫通孔１１が開孔されている。また押えカバー３の側壁にはボルト５が斜め上方に向かって突設されている。押えカバー３の内側には六角の溝部１３とこれに連通するストッパー支持孔１４が開孔され、このストッパー支持孔１４にボルト５を下から差し込んで六角の溝部１３に六角の頭部１２を嵌め込んでボルト５を貫通させ回転しないように支持されている。
【００１６】
また前記レバー４は鼻が湾曲した像の顔状に形成され、基端側に図１に示すように軸受孔１９が開孔されて、ここに軸１０が挿着されて前記突起部９と回動自在に連結されている。また軸受孔１９の上方には通し孔２０が開孔されている。またレバー４の鼻状に湾曲した部分には長孔状のストッパー貫通孔２２が開孔され、更に先端側の下面には滑り止めのクッション板２４が取付けられて押え部２１が形成されている。また図４に示すようにレバー４を上げた状態から図３のように下げてきた時に、ボルト５がストッパー貫通孔２２を貫通するようになっている。なお２５は蝶ナットで、ボルト５と組合せてストッパーが形成されている。
【００１７】
また前記レバー４の基端側下部には図１に示すように、湾曲した回動支点２７と平面状のロック部２８が形成され、レバー４を図４に示すように上げた状態で、軸１０の中心からレバー４の平面状のロック部２８までの距離Ｌ１が、軸１０の中心から押えカバー３の上部平板部７までの距離Ｌ２より長く形成されている。
【００１８】
上記構成の転倒移動防止具１を用いてテレビスタンド６を固定する場合について説明する。先ずテレビスタンド６を置いたテーブル２６の横に、図４に示すようにレバー４を上方に上げた状態で下に押し下げると、突起部９が下がってこの下の基板８が押し下げられ、吸盤２がへん平状になって空気が排出され、吸盤２の弾性により復帰する時に内部が減圧されて吸着する。
【００１９】
この後、図３に示すようにレバー４を下げてクッション板２４を取付けた押え部２１をテレビスタンド６のコーナーの上から押し付ける。この時、レバー４に開孔した長孔状のストッパー貫通孔２２に、ストッパーとなるボルト５を通す。このようにレバー４を下方に下げると、その下部が回動支点２７を中心として回動し、平面状のロック部２８が押えカバー３の上部の平板部に当接してロック状態となる。
【００２０】
この過程で軸１０の中心からレバー４の平面状のロック部２８までの距離Ｌ１が、軸１０の中心から押えカバー３の上部平板部７までの距離Ｌ２より長く形成されているのでレバー４と回動自在に連結されている突起部９は持ち上げられる。この結果、突起部９と一体の基板８と吸盤２とが持ち上げられ、吸盤２は内部が椀状に拡大して真空状態となり、強固に吸着して５Ｋｇ程度の吸着力が得られる。更に軸１０の中心からレバー４の先端までの距離Ｌ３が、軸１０の中心からロック部２８までの距離Ｌ１より長く形成されているのでテコの作用により、小さな押し下げ力で、吸盤２に大きな持ち上げ力が発生して、高い真空状態が得られる。
【００２１】
この状態ではレバー４を上方に持ち上げれば吸盤２が下がって真空状態が解除されてしまうが、本考案ではレバー４のストッパー貫通孔２２から上方に突出したボルト５に蝶ナット２５を取付けて固定するので、レバー４が押えカバー３と一体となってレバー４の回動が阻止され、吸盤２の真空状態を保持することができる。また押え部２１にはクッション板２４が取付けられているので、テレビスタンド６との密着性が良く、更に確実に固定することができる。
【００２２】
この転倒移動防止具１を図５に示すようにテレビスタンド６の対向するコーナー部に２個取付ければ、両方で１０Ｋｇ程度の力で固定して薄型テレビ２９の転倒を防止することができる。また取り外す時には、蝶ナット２５を外し、レバー４を持ち上げれば真空が解除されるので取り外しも容易で、固定金具のようにテーブルや床面を傷付けることがなく、何処にでも取付けられる。なおテーブルや床面が木製の場合や粗面加工してある場合には、円形のプラスチックシートを両面テープで貼ってから、この上に吸盤２を取付ければ良い。
【００２３】
またテレビスタンド６の厚さが異なってレバー４の押え角度が異なっても、蝶ナット２５の締め付け位置を調整でき、更にロック部２８を超えて他方の回動支点２７で更に回動できるので、どのような厚さのものにも対応することができる。またレバー４に開孔した通し孔２０に図示しない紐を通して薄型テレビ２９を縛るようにして使用しても良い。また上記説明では薄型テレビ２９の転倒防止に使用したが、デスクトップパソコンのディスプレイのスタンドも同様に固定することができる。
【００２４】
図６は本考案の異なる他の実施の形態を示すもので、洋服ダンスや食器戸棚、ロッカー、キャビネット、本棚などの家具３０を固定する場合に用いる転倒移動防止具１である。これはレバー４の先端側をコ字形に形成し、ここにクッション板２４を取付けて押え部２１としたものである。
【００２５】
この転倒移動防止具１は床面３１に置いた家具３０のコーナーに取付け、レバー４を下方に回動させて、先端のコ字形の押え部２１でコーナーを挟み込んで押し付け、ボルト５の先端に球形のナット（にぎり玉）３３を取付けてレバー４を固定する。このように家具３０の前面の左右のコーナーに取付けて固定することにより家具３０の移動を阻止することができる。また家具に限らずデスクトップパソコンのタワー形パソコン本体の両側コーナーに転倒移動防止具１を挟むように取付ければパソコン本体の移動を防止すると共に転倒を防止することができる。なおこの転倒移動防止具１はプリンターやファックスなどの電子機器や人形ケースに使用して転倒や移動を防止することができる。
【００２６】
図７および図８は、ストッパーを係止棒３４で形成した本考案の異なる他の実施の形態を示すもので、係止棒３４は図８に示すようにＵ字形状をなし、その両側面にのこぎり刃状の係止突起３５が形成され、下部側に凹部３６が形成されている。この凹部３６は押えカバー３のストッパー支持孔１４に取付けられて係止棒３４を上方に突出するように支持している。またレバー４のストッパー貫通孔２２の上部内側には断面三角形状の突出部３７が形成され、上記係止棒３４の係止突起３５と係合するようになっている。
【００２７】
上記構成の転倒移動防止具１を用いてテレビスタンド６を固定する場合について説明する。図９に示すように円形のテレビスタンド６の対向する位置に２個の転倒移動防止具１を取付ける。先ずレバー４を上方に上げた状態で下に押し下げて吸盤２をテーブル２６に押し付けてから、レバー４を下方に回動させてクッション板２４を取付けた押え部２１をテレビスタンド６の上から押し付ける。
【００２８】
この時、図８に示すようにレバー４に開孔した長孔状のストッパー貫通孔２２に、ストッパーとなる係止棒３４を通してレバー４を下方に回動させると、ストッパー貫通孔２２の突出部３７がのこぎり刃状の係止突起３５の斜面を滑りながら下がり、レバー４の先端がテレビスタンド６に接触した時点で、突出部３７が係止突起３５のＶ溝に係合して固定される。つまり係止棒３４を通してレバー４を最下端まで回動させることによりワンタッチでレバー４を係止棒３４にロックすることができる。
【００２９】
なおロックを解除する場合は、Ｕ字形状の係止棒３４の上部を左右から指で挟むと弾性により隙間が狭くなって突出部３７が係止突起３５から外れて、レバー４を持ち上げることができる。
【００３０】
図１０は図７に示す転倒移動防止具１のレバー４の通し孔２０に四角枠状の連結金具３８を取付けたものである。この転倒移動防止具１をデスクトップ形のパソコン本体４０の左右両側に配置し、レバー４を下方に回動させてその先端をパソコン本体４０の側面に接触させると、ワンタッチでレバー４をロックし、パソコン本体４０の左右の移動を阻止することができる。この後、四角枠状の連結金具３８にベルト３９を通して、パソコン本体４０の上部に掛け渡してベルト３９の長さを調整することにより上方からも押えて固定することができる。またこの場合、パソコンの液晶ディスプレイは図９と同様に固定する。
【図面の簡単な説明】
【００３１】
【図１】本考案の実施の一形態による転倒移動防止具の斜視図である。
【図２】図１に示す転倒移動防止具の側面図である。
【図３】図２に示す転倒移動防止具の断面図である。
【図４】図２に示す転倒移動防止具のレバーを上げた状態を示す断面図である。
【図５】テレビスタンドを転倒移動防止具で固定している状態を示す平面図である。
【図６】本考案の異なる他の実施の形態による転倒移動防止具を示す斜視図である。
【図７】本考案の異なる他の実施の形態によるストッパーを係止棒で形成した転倒移動防止具を示す斜視図である。
【図８】図７のレバーと係止棒との係合部分を示す断面図である。
【図９】図７の転倒移動防止具でテレビスタンドを固定している状態を示す斜視図である。
【図１０】図７の転倒移動防止具でパソコン本体を固定している状態を示す斜視図である。
【符号の説明】
【００３２】
１    転倒移動防止具                                        
２    吸盤                                                  
３    押えカバー                                            
４    レバー                                                
５    ボルト                                                
６    テレビスタンド                                        
７    平板部                                                
８    基板                                                  
９    突起部                                                
１０  軸                                                    
１１  突起部貫通孔                                          
１２  頭部                                                  
１３  溝部                                                  
１４  ボルト支持孔                                          
１９  軸受孔                                                
２０  通し孔                                                
２１  押え部                                                
２２  ストッパー貫通孔                                      
２４  クッション板                                          
２５  蝶ナット                                              
２６  テーブル      
２７  回動支点    
２８  ロック部      
２９  薄型テレビ  
３０  家具      
３１  床面      
３２  球形のナット  
３４  係止棒        
３５  係止突起    
３６  凹部        
３７  突出部    
３８  連結金具        
３９  ベルト          
４０  パソコン本体      
【図１】
0003171515.tif 000003
【図２】
0003171515.tif 000004
【図３】
0003171515.tif 000005
【図４】
0003171515.tif 000006
【図５】
0003171515.tif 000007
【図６】
0003171515.tif 000008
【図７】
0003171515.tif 000009
【図８】
0003171515.tif 000010
【図９】
0003171515.tif 000011
【図１０】
0003171515.tif 000012